(57)【要約】【課題】情報の取得先装置から送信先装置に送信する取得情報の送信情報量を削減しつつ、送信先装置が少なくとも取得先装置側の時間プロファイルと同じ時間プロファイルを得て厳密な管理を行うことができる送信装置および管理システムを提供する。【解決手段】自動分析装置２０によって逐次取得される自動分析装置２０内の温度情報を管理サーバ３０に送信する送信装置５０において、逐次取得された自動分析装置２０内の温度が変化したか否かを判断する温度変化判断部２２ａと、温度変化判断部２２ａによって温度が変化したと判断した場合、この変化した温度およびこの温度の取得時刻と、この温度が変化する直前の温度の取得時刻とを管理サーバ３０に送信する送信制御部２２ｂとを備える。【選択図】        図１
2010003129.tif 000002
【特許請求の範囲】
【請求項１】
情報の取得先装置によって取得される取得情報を送信先装置に送信する送信装置において、
逐次取得された前記取得情報の値が変化したか否かを判断する判断手段と、
前記判断手段によって前記取得情報の値が変化したと判断した場合、該変化した取得情報の値および取得時刻と、該変化した取得情報が変化する直前の取得情報の取得時刻とを前記送信先装置に送信する送信制御手段と、
を備えたことを特徴とする送信装置。
【請求項２】
前記判断手段は、現在取得した取得情報の値と直前に取得した取得情報の値との差が所定の閾値以上である場合に、取得情報の値が変化したと判断することを特徴とする請求項１に記載の送信装置。
【請求項３】
情報の取得先装置によって取得される取得情報を送信先装置に送信する送信装置において、
逐次取得された前記取得情報の値が所定範囲内から所定範囲外あるいは所定範囲外から所定範囲内に変化したか否かを判断する判断手段と、
前記判断手段によって前記取得情報の値が変化したと判断した場合、該変化した取得情報の取得時刻と、該変化した取得情報の値が前記所定の範囲内あるいは前記所定の範囲外であることを示す範囲情報と、該変化した取得情報の値が変化する直前の取得情報の取得時刻とを前記送信先装置に送信する送信制御手段と、
を備えたことを特徴とする送信装置。
【請求項４】
前記送信制御手段は、前記判断手段によって前記取得情報の値が変化したと判断した場合、前記取得先装置の識別情報および／または当該送信装置の識別情報を付加して前記送信先装置に送信することを特徴とする請求項１〜３のいずれか一つに記載の送信装置。
【請求項５】
前記送信装置は、検体を自動的に分析する自動分析装置に接続あるいは組み込まれることを特徴とする請求項１〜４のいずれか一つに記載の送信装置。
【請求項６】
請求項１、２、４、または５のいずれか一つに記載の１以上の送信装置と、
ネットワークを介して前記１以上の送信装置に接続され、各送信装置によって送信された情報を管理情報として管理する管理装置と、
前記管理装置にローカルあるいはネットワークを介して接続され、前記管理情報をもとに、逐次取得された前記取得情報の値の時間プロファイルを再現する管理端末装置と、
を備えたことを特徴とする管理システム。
【請求項７】
請求項３〜５のいずれか一つに記載の１以上の送信装置と、
ネットワークを介して前記１以上の送信装置に接続され、各送信装置によって送信された情報を管理情報として管理する管理装置と、
前記管理装置にローカルあるいはネットワークを介して接続され、前記管理情報をもとに、逐次取得された前記取得情報の値が前記所定範囲内か範囲外かの経過時間を示す時間バーを再現する管理端末装置と、
を備えたことを特徴とする管理システム。
【発明の詳細な説明】
【技術分野】
【０００１】
この発明は、送信装置および管理システムに関し、特に情報の取得先装置が取得した取得情報を管理装置に送信する送信装置と、送信装置によって送信された送信情報を管理情報として管理する管理装置とを備えた管理システムに関するものである。
【背景技術】
【０００２】
従来、情報の取得先装置に接続あるいは組み込まれた送信装置と、管理装置とをインターネット等のネットワークを介して通信可能に接続させ、送信装置が情報の取得先装置によって逐次取得された取得情報を管理装置に送信し、管理装置が管理情報としてこの送信情報を管理する管理システムがある。この管理システムでは、送信装置によって管理装置に送信される送信情報の送信情報量を削減するため、情報の取得先装置が逐次取得する取得情報の値が変化したときのみ、この変化した取得情報の値およびこの変化した取得情報を取得した取得時刻を管理装置に送信するようにしていた。
【０００３】
例えば、特許文献１には、管理対象の装置が異常を示したときに、この異常に関する情報を管理装置に送信するものが記載されている。この管理システムでは、管理対象の装置の動作状態が異常を示したときに、送信装置としての機能を備えた端末装置が、管理対象の装置の異常に関する情報を管理装置に送信している。
【０００４】
【特許文献１】特開２０００−９０３７１号公報
【発明の開示】
【発明が解決しようとする課題】
【０００５】
しかしながら、従来の管理システムでは、情報の取得先装置が取得した取得情報のうち、取得情報の送信先装置が受信しない取得情報を含むため、情報の取得先装置が取得した取得情報を時系列で結んだ取得情報の時間プロファイルに比して、取得情報の送信先装置で得られる取得情報の時間プロファイルが粗くなってしまう場合があった。従って、取得情報の送信先装置では、情報の取得先装置で得られる時間プロファイルとは異なった時間プロファイルとなる場合があり、精度の高い取得情報をもとにした管理を行うことができない場合があるという問題があった。
【０００６】
この発明は、上記に鑑みてなされたものであって、情報の取得先装置から送信先装置に送信する取得情報の送信情報量を削減しつつ、送信先装置が少なくとも取得先装置側の時間プロファイルと同じ時間プロファイルを得て厳密な管理を行うことができる送信装置および管理システムを提供することを目的とする。
【課題を解決するための手段】
【０００７】
上述した課題を解決し、目的を達成するために、この発明にかかる送信装置は、情報の取得先装置によって取得される取得情報を送信先装置に送信する送信装置において、逐次取得された前記取得情報の値が変化したか否かを判断する判断手段と、前記判断手段によって前記取得情報の値が変化したと判断した場合、該変化した取得情報の値および取得時刻と、該変化した取得情報が変化する直前の取得情報の取得時刻とを前記送信先装置に送信する送信制御手段と、を備えたことを特徴とする。
【０００８】
また、この発明にかかる送信装置は、上記の発明において、前記判断手段は、現在取得した取得情報の値と直前に取得した取得情報の値との差が所定の閾値以上である場合に、取得情報の値が変化したと判断することを特徴とする。
【０００９】
また、この発明にかかる送信装置は、情報の取得先装置によって取得される取得情報を送信先装置に送信する送信装置において、逐次取得された前記取得情報の値が所定範囲内から所定範囲外あるいは所定範囲外から所定範囲内に変化したか否かを判断する判断手段と、前記判断手段によって前記取得情報の値が変化したと判断した場合、該変化した取得情報の取得時刻と、該変化した取得情報の値が前記所定の範囲内あるいは前記所定の範囲外であることを示す範囲情報と、該変化した取得情報の値が変化する直前の取得情報の取得時刻とを前記送信先装置に送信する送信制御手段と、を備えたことを特徴とする。
【００１０】
また、この発明にかかる送信装置は、上記の発明において、前記送信制御手段は、前記判断手段によって前記取得情報の値が変化したと判断した場合、前記取得先装置の識別情報および／または当該送信装置の識別情報を付加して前記送信先装置に送信することを特徴とする。
【００１１】
また、この発明にかかる送信装置は、上記の発明において、前記送信装置は、検体を自動的に分析する自動分析装置に接続あるいは組み込まれることを特徴とする。
【００１２】
また、この発明にかかる管理システムは、上記の発明において、請求項１、２、４、または５のいずれか一つに記載の１以上の送信装置と、ネットワークを介して前記１以上の送信装置に接続され、各送信装置によって送信された情報を管理情報として管理する管理装置と、前記管理装置にローカルあるいはネットワークを介して接続され、前記管理情報をもとに、逐次取得された前記取得情報の値の時間プロファイルを再現する管理端末装置と、を備えたことを特徴とする。
【００１３】
また、この発明にかかる管理システムは、上記の発明において、請求項３〜５のいずれか一つに記載の１以上の送信装置と、ネットワークを介して前記１以上の送信装置に接続され、各送信装置によって送信された情報を管理情報として管理する管理装置と、前記管理装置にローカルあるいはネットワークを介して接続され、前記管理情報をもとに、逐次取得された前記取得情報の値が前記所定範囲内か範囲外かの経過時間を示す時間バーを再現する管理端末装置と、を備えたことを特徴とする。
【発明の効果】
【００１４】
この発明では、判断手段が、逐次取得された取得情報の値が変化したか否かを判断し、前記判断手段によって前記取得情報の値が変化したと判断した場合、送信制御手段が、該変化した取得情報の値および取得時刻と、該変化した取得情報が変化する直前の取得情報の取得時刻とを前記送信先装置に送信するため、取得情報の値が変化したときの取得情報の値および変化した取得情報の取得時刻と、さらに、一定の値から変化する直前の前記取得情報の取得時刻とを前記送信先装置に送信することができる。これにより、逐次取得される取得情報を時系列で結んだ時間プロファイルと同じ時間プロファイルを得るための情報を少ない情報量で前記送信先装置に送信することができる。従って、情報の取得先装置から送信先装置に送信する取得情報の送信情報量を削減しつつ、送信先装置が少なくとも取得先装置側の時間プロファイルと同じ時間プロファイルを得て厳密な管理を行うことができる。
【発明を実施するための最良の形態】
【００１５】
以下、図面を参照して、この発明の実施の形態である送信装置を組み込んだ自動分析装置の管理システムについて説明する。なお、この実施の形態によりこの発明が限定されるものではない。また、図面の記載において、同一部分には同一の符号を付している。
【００１６】
（実施の形態１）
まず、実施の形態１にかかる管理システムについて説明する。図１は、この発明の実施の形態１にかかる送信装置を組み込んだ自動分析装置の管理システムの構成を示す模式図である。この管理システム１は、検体を自動的に分析する複数の自動分析装置２０と、各自動分析装置２０に組み込まれた送信装置５０によって送信される送信情報を管理する管理装置としての管理サーバ３０と、管理サーバ３０へのアクセスが可能な複数の管理端末装置４０とが、インターネット等のネットワークＮを介して通信可能に接続される。
【００１７】
自動分析装置２０は、図１に示すように、検体および検査項目に対応する試薬を反応容器に分注し、反応容器内で生じる反応を光学的に測定する測定機構２１と、自動分析装置２０の各構成部位の処理および動作を制御する制御部２２と、種々の情報を入力する入力部２３と、測定機構２１による測定結果に基づいて検体に対する分析処理等を行なう分析部２４と、検体の分析結果等を含む諸情報および各自動分析装置２０を識別する識別情報としての装置ＩＤを記憶する記憶部２５と、分析に関する諸情報を出力する出力部２６と、ネットワークＮを介して所定の形式にしたがった情報の送信を行なう送信部２７とを有する。なお、自動分析装置２０は、自動分析装置２０内の温度情報を逐次取得して記憶部２５に記憶している。
【００１８】
また、制御部２２は、温度変化判断部２２ａおよび送信制御部２２ｂを有する。温度変化判断部２２ａは、自動分析装置２０によって逐次取得される自動分析装置２０内の温度が変化したか否かを判断する。送信制御部２２ｂは、温度変化判断部２２ａによって温度が変化したと判断された場合、この変化した温度およびこの温度の取得時刻と、この温度が変化する直前の温度の取得時刻とを含んだ情報に、装置ＩＤを付加して管理サーバ３０に送信する。ここで、送信装置５０は、送信部２７、温度変化判断部２２ａ、および送信制御部２２ｂを含めた構成である。
【００１９】
管理サーバ３０は、各自動分析装置２０に組み込まれた送信装置５０によって送信された各自動分析装置２０内の温度情報を管理情報として記憶する記憶部３１と、管理サーバ３０の各構成部位の処理動作を制御する制御部３２と、ネットワークＮを介して所定の形式にしたがった情報の送受信を行なうインターフェースとしての機能を有する送受信部３３と、種々の情報を入力するためのキーボード等を用いて構成され、検体の分析に必要な諸情報や分析動作の指示情報等を外部から取得する入力部３４と、ディスプレイ等を用いて構成され、管理サーバ３０が処理した各自動分析装置２０の温度情報を表示する出力部３５とを有する。
【００２０】
管理端末装置４０は、管理サーバ３０の記憶部３１から読み出した各自動分析装置２０内の温度情報を記憶する記憶部４１と、管理端末装置４０の各構成部位の処理動作を制御する制御部４２と、ネットワークＮを介して所定の形式にしたがった情報の送受信を行なうインターフェースとしての機能を有する送受信部４３と、種々の情報を入力するためのキーボード等を用いて構成され、検体の分析に必要な諸情報や分析動作の指示情報等を外部から取得する入力部４４と、ディスプレイ等を用いて構成され、管理サーバ３０の記憶部３１から読み出した各自動分析装置２０の温度情報を表示する出力部４５とを有する。なお、管理端末装置４０は、ネットワークＮを介して管理サーバ３０に接続するものを例示したが、これに限らず、例えば、管理サーバ３０にローカル接続してもよい。
【００２１】
この管理システム１では、送信装置５０が、各自動分析装置２０が取得した自動分析装置２０内の温度情報を管理サーバ３０に送信し、管理サーバ３０は、受信した温度情報を各自動分析装置２０の管理情報として、装置ＩＤと関連付けて記憶部３１に保存する。自動分析装置２０の管理者は、出力部３５あるいは出力部４５に、温度情報を含む管理情報を表示出力させることによって各自動分析装置２０を管理することができる。
【００２２】
ここで、自動分析装置２０が送信する送信情報をもとに、管理サーバ３０が送信情報を再現する処理概要について説明する。図２は、自動分析装置２０から送信された情報をもとに管理サーバ３０側が情報の時間プロファイルを再現する処理を説明する図である。図２において、まず、自動分析装置２０は、自動分析装置２０内の温度ＴＰを不定期に取得する（図２（ａ））。自動分析装置２０に組み込まれた送信装置５０は、不定期に取得された温度が前回取得した温度に比して変化すると、この変化した温度ＴＰ2，ＴＰ7の情報Ｄ22，Ｄ77と、この温度の取得時刻Ｔ2，Ｔ7の情報Ｄ2，Ｄ7と、この温度が変化する直前に温度を取得した取得時刻Ｔ1，Ｔ6の情報Ｄ1，Ｄ6とを含む送信情報Ｄ１，Ｄ２をネットワークＮを介して管理サーバ３０に送信する（図２（ｂ））。
【００２３】
一方、管理サーバ３０は、送信装置５０から送信された送信情報Ｄ１，Ｄ２を受信する。管理サーバ３０側では、温度変化があった場合における前回温度の取得時刻Ｔ１，Ｔ６を除いて、温度変化がないときの温度情報（値と時刻）、すなわち取得時刻Ｔ３とこのときの温度ＴＰ３、取得時刻Ｔ４とこのときの温度ＴＰ４、取得時刻Ｔ５とこのときの温度ＴＰ５、および取得時刻Ｔ８とこのときの温度ＴＰ８を受信していないが、取得時刻Ｔ１，Ｔ２，Ｔ６，Ｔ７で変化するときの温度ＴＰ２，ＴＰ７を得ることができるため、管理サーバ３０側では、図２（ａ）で示した温度の時間プロファイルＰＦ１と同じ温度の時間プロファイルＰＦ２（図２（ｃ））を再現することができる。換言すれば、送信装置５０が、送信情報Ｄ１，Ｄ２を送信するのみで、すべての取得時刻とこのときの温度とを管理サーバ３０側に送信しなくても、すべての取得時刻とこのときの温度とを管理サーバ３０側に送信したときと同じ温度の時間プロファイルを得ることができる。すなわち、送信装置５０が、送信情報量を削減しているにもかかわらず、管理サーバ３０は、自動分析装置２０側の温度の時間プロファイルＰＦ１と同じ温度の時間プロファイルＰＦ２を得ることによって、自動分析装置２０側が取得したすべての時刻における温度を取得したことになる。
【００２４】
ここで、図３に示したフローチャートを参照して、上述した送信装置５０による情報送信処理手順について説明する。図３に示すように、まず、自動分析装置２０の制御部２２は、自動分析装置２０の立ち上げ直後に、自動分析装置２０内の初回温度ＴＰｉｎおよびこの初回温度取得時刻である初回時刻Ｔｉｎとを取得する（ステップＳ１０１）。次に、制御部２２は、初回温度ＴＰｉｎを前回温度ＴＰｐｒｅとして設定し、初回時刻Ｔｉｎを前回時刻Ｔｐｒｅとして設定する処理を行う（ステップＳ１０２）。その後、送信装置５０は、前回温度ＴＰｐｒｅおよび前回時刻Ｔｐｒｅに、自動分析装置２０を識別する識別情報としての装置ＩＤを付加して管理サーバ３０に送信する（ステップＳ１０３）。
【００２５】
その後、自動分析装置２０の制御部２２は、現在温度ＴＰｎｏｗおよび現在時刻Ｔｎｏｗを取得する（ステップＳ１０４）。なお、自動分析装置２０内の温度は不定期に取得される。次に、温度変化判断部２２ａは、現在温度ＴＰｎｏｗが前回温度ＴＰｐｒｅに比して変化したか否かを判断する（ステップＳ１０５）。ここで、現在温度ＴＰｎｏｗが前回温度ＴＰｐｒｅに比して変化したか否かの判断は、現在温度ＴＰｎｏｗと前回温度ＴＰｐｒｅとの差が所定の閾値以上である場合に変化したものと判断する。具体的には、前回温度ＴＰｐｒｅを基準として、現在温度ＴＰｎｏｗが、±０．２℃以上の差がある場合、現在温度ＴＰｎｏｗが前回温度ＴＰｐｒｅに比して変化したと判断する。現在温度ＴＰｎｏｗが前回温度ＴＰｐｒｅに比して変化しない場合（ステップＳ１０５；Ｎｏ）、制御部２２は、ステップＳ１０９に移行する。一方、現在温度ＴＰｎｏｗが前回温度ＴＰｐｒｅに比して変化した場合（ステップＳ１０５；Ｙｅｓ）、送信制御部２２ｂは、前回時刻Ｔｐｒｅを管理サーバ３０に未送信であるか否かを判断する（ステップＳ１０６）。前回時刻Ｔｐｒｅを管理サーバ３０に未送信である場合（ステップＳ１０６；Ｙｅｓ）、送信制御部２２ｂは、現在温度ＴＰｎｏｗ、現在時刻Ｔｎｏｗおよび前回時刻Ｔｐｒｅを含む情報に装置ＩＤを付加して管理サーバ３０に送信し（ステップＳ１０７）、ステップＳ１０９に移行する。これにより、不定期に取得される自動分析装置２０内の温度が変化したとき、変化した温度および変化した温度の取得時刻の情報と、さらに、一定の温度から変化する直前の温度の取得時刻の情報とを管理サーバ３０に送信することができる。一方、前回時刻Ｔｐｒｅを管理サーバ３０に未送信でない場合（ステップＳ１０６；Ｎｏ）、送信制御部２２ｂは、現在温度ＴＰｎｏｗおよび現在時刻Ｔｎｏｗを含む情報に装置ＩＤを付加して管理サーバ３０に送信し（ステップＳ１０８）、ステップＳ１０９に移行する。ここで、前回時刻Ｔｐｒｅを管理サーバ３０に未送信でない場合とは、ステップＳ１０１で取得された初回温度ＴＰｉｎおよび初回時刻Ｔｉｎの次に自動分析装置２０によって取得された温度が初回温度ＴＰｉｎに比して変化し、既に、初回時刻Ｔｉｎが管理サーバ３０に送信されている場合である。
【００２６】
次に、制御部２２は、現在温度ＴＰｎｏｗを前回温度ＴＰｐｒｅとして設定し、現在時刻Ｔｎｏｗを前回時刻Ｔｐｒｅとして設定し（ステップＳ１０９）、自動分析装置２０内の温度情報の取得が完了したか否かを判断する（ステップＳ１１０）。この自動分析装置２０内の温度情報の取得が完了していない場合（ステップＳ１１０；Ｎｏ）、制御部２２は、ステップＳ１０４に移行して上述した処理を繰り返す。一方、この自動分析装置２０内の温度情報の取得が完了した場合（ステップＳ１１０；Ｙｅｓ）、制御部２２は、本処理を終了する。
【００２７】
一方、管理サーバ３０は、自動分析装置２０に組み込まれた送信装置５０によって送信される送信情報の受信待ち状態であり（ステップＳ２０１）、ステップＳ１０３、ステップＳ１０７、およびステップＳ１０８で送信装置５０によって送信された送信情報を受信すると（ステップＳ２０１；Ｙｅｓ）、この送信情報を各自動分析装置２０の管理情報として保存した後（ステップＳ２０２）、ステップＳ２０１に移行して送信装置５０によって送信される送信情報の受信待ち状態となる。
【００２８】
この実施の形態１では、温度変化判断部２２ａが、自動分析装置２０によって不定期に取得された自動分析装置２０内の温度が前回取得した温度に比して変化したか否かを判断し、温度変化判断部２２ａによって温度が変化したと判断した場合、送信制御部２２ｂが、この変化した温度およびこの温度の取得時刻と、この温度が変化する直前の温度の取得時刻とを含んだ情報に、装置ＩＤを付加して管理サーバ３０に送信しているため、自動分析装置２０が不定期に取得した自動分析装置２０内の温度が変化したとき、この変化した温度およびこの温度の取得時刻と、さらに、一定の温度から変化する直前の温度の取得時刻とを管理サーバ３０に送信することができる。これにより、不定期に取得される自動分析装置２０内の温度情報を時系列で結んだ時間プロファイルと同じ時間プロファイルを得るための情報を少ない情報量で管理サーバ３０に送信することができる。従って、自動分析装置２０から管理サーバ３０に送信する温度情報の送信情報量を削減しつつ、管理サーバ３０が少なくとも自動分析装置２０側の時間プロファイルと同じ時間プロファイルを得て厳密な管理を行うことができる。
【００２９】
（実施の形態２）
次に、この発明の実施の形態２について説明する。実施の形態１では、温度変化判断部２２ａが、自動分析装置２０によって不定期に取得される自動分析装置２０内の温度が変化したと判断した場合、送信制御部２２ｂが、この変化した温度およびこの温度の取得時刻と、この温度が変化する直前の温度の取得時刻とを含んだ情報に、装置ＩＤを付加して管理サーバ３０に送信するようにしていた。この実施の形態２では、図４に示すように、送信装置６０は、温度変化判断部２２ａに替わって温度変化判断部２９ａを有し、送信制御部２２ｂに替わって送信制御部２９ｂを有する。温度変化判断部２９ａは、自動分析装置２８によって不定期に取得された自動分析装置２８内の温度が正常値である温度範囲内から範囲外あるいは正常値である温度範囲外から範囲内に変化したか否かを判断する。送信制御部２９ｂは、温度変化判断部２９ａによって温度が変化したと判断した場合、変化した温度の取得時刻と、この変化した温度が正常値の温度範囲内あるいは正常値の温度範囲外であることを示す範囲情報と、この温度が変化する直前の温度の取得時刻とを含んだ情報に、装置ＩＤを付加して管理サーバ３０に送信する。その他の構成は実施の形態１と同じであり、同一構成部分には同一符号を付している。
【００３０】
ここで、自動分析装置２８が送信する送信情報をもとに、管理サーバ３０が送信情報を再現する処理概要について説明する。図５は、自動分析装置２８から送信された情報をもとに管理サーバ３０側が自動分析装置２８内の温度が正常値である温度範囲Ｃ内であるか温度範囲Ｃ外であるかの経過時間を示す時間バーを再現する処理を説明する図である。図５において、まず、自動分析装置２８は、自動分析装置２８内の温度ＴＰを不定期に取得する（図５（ａ））。自動分析装置２８に組み込まれた送信装置６０は、自動分析装置２８によって不定期に取得された温度が正常値である温度範囲Ｃ内から範囲外あるいは温度範囲Ｃ外から範囲内に変化すると、この変化した温度ＴＰ5，ＴＰ8の取得時刻Ｔ5，Ｔ8の情報Ｄ5，Ｄ8と、この温度ＴＰ5，ＴＰ8が温度範囲Ｃ外あるいは範囲Ｃ内であることを示す範囲情報Ｄｏ，Ｄｉと、この温度が温度範囲Ｃ内から範囲外あるいは温度範囲Ｃ外から範囲内に変化する直前に温度を取得した取得時刻Ｔ4，Ｔ7の情報Ｄ4，Ｄ７とを含む送信情報Ｄ１，Ｄ２を管理サーバ３０に送信する（図５（ｂ））。
【００３１】
一方、管理サーバ３０は、送信装置６０から送信された送信情報Ｄ１，Ｄ２を受信する。管理サーバ３０側では、温度範囲Ｃ内から範囲外あるいは温度範囲Ｃ外から範囲内への温度変化があった場合における前回温度の取得時刻Ｔ4，Ｔ7を除いて、温度変化がないときの温度情報（値と時刻）、すなわち取得時刻Ｔ1とこのときの温度ＴＰ1、取得時刻Ｔ2とこのときの温度ＴＰ2、取得時刻Ｔ3とこのときの温度ＴＰ3、取得時刻Ｔ6とこのときの温度ＴＰ6、取得時刻Ｔ9とこのときの温度ＴＰ9、および取得時刻Ｔ10とこのときの温度ＴＰ10、を受信していないが、取得時刻Ｔ4，Ｔ5，Ｔ7，Ｔ8で温度範囲Ｃ内から範囲外あるいは温度範囲Ｃ外から範囲内へ温度変化するときの範囲情報Ｄｏ，Ｄｉを得ることができるため、管理サーバ３０側では、図５（ａ）で示した温度の時間プロファイルで得られる自動分析装置２８内の温度が正常値である温度範囲Ｃ内であるか温度範囲Ｃ外であるかの経過時間を示す時間バーと同じ時間バー（図５（ｃ））を再現することができる。換言すれば、送信装置６０が、送信情報Ｄ１，Ｄ２を送信するのみで、すべての取得時刻とこのときの温度とを管理サーバ３０側に送信しなくても、すべての取得時刻とこのときの温度とを管理サーバ３０側に送信したときと同じに温度が正常値である温度範囲Ｃ内であるか温度範囲Ｃ外であるかの経過時間を示す時間バーを得ることができる。すなわち、送信装置６０が、送信情報量を削減しているにもかかわらず、管理サーバ３０は、自動分析装置２８側の温度が正常値である温度範囲Ｃ内であるか温度範囲Ｃ外であるかの経過時間を示す時間バーと同じ時間バーを得ることによって、自動分析装置２８側が取得した自動分析装置２８内の温度が正常値である温度範囲Ｃ内であるか温度範囲Ｃ外であるかのすべての情報を取得したことになる。
【００３２】
ここで、図６に示したフローチャートを参照して、上述した送信装置６０による情報送信処理手順について説明する。図６に示すように、まず、自動分析装置２８の制御部２９は、自動分析装置２８の立ち上げ直後に、自動分析装置２８内の初回温度ＴＰｉｎおよびこの初回温度取得時刻である初回時刻Ｔｉｎとを取得する（ステップＳ３０１）。次に、制御部２９は、初回温度ＴＰｉｎを前回温度ＴＰｐｒｅとして設定し、初回時刻Ｔｉｎを前回時刻Ｔｐｒｅとして設定する処理を行う（ステップＳ３０２）。その後、送信装置６０は、前回温度ＴＰｐｒｅおよび前回時刻Ｔｐｒｅに、自動分析装置２８を識別する識別情報としての装置ＩＤを付加して管理サーバ３０に送信する（ステップＳ３０３）。
【００３３】
その後、自動分析装置２８の制御部２９は、現在温度ＴＰｎｏｗおよび現在時刻Ｔｎｏｗを取得する（ステップＳ３０４）。なお、自動分析装置２８内の温度は不定期に取得される。次に、温度変化判断部２９ａは、現在温度ＴＰｎｏｗが正常値である温度範囲Ｃ内から温度範囲Ｃ外に変化したか否かを判断する（ステップＳ３０５）。現在温度ＴＰｎｏｗが温度範囲Ｃ内から温度範囲Ｃ外に変化した場合（ステップＳ３０５；Ｙｅｓ）、送信制御部２９ｂは、前回時刻Ｔｐｒｅを管理サーバ３０に未送信であるか否かを判断する（ステップＳ３０６）。前回時刻Ｔｐｒｅの情報を管理サーバ３０に未送信である場合（ステップＳ３０６；Ｙｅｓ）、送信制御部２９ｂは、現在時刻Ｔｎｏｗ、現在温度ＴＰｎｏｗが温度範囲Ｃ外すなわち温度が異常値であることを示す範囲情報、および前回時刻Ｔｐｒｅを含む情報に装置ＩＤを付加して管理サーバ３０に送信し（ステップＳ３０７）、処理をステップＳ３１３に移行する。これにより、自動分析装置２８によって不定期に取得される自動分析装置２８内の温度が温度範囲Ｃ内から範囲外に変化した温度の取得時刻と、範囲情報と、さらに、温度範囲Ｃ内から温度範囲Ｃ外に変化する直前まで温度範囲Ｃ内であった温度の取得時刻の情報とを管理サーバ３０に送信することができる。一方、前回時刻Ｔｐｒｅの情報を管理サーバ３０に未送信でない場合（ステップＳ３０６；Ｎｏ）、送信制御部２９ｂは、現在時刻Ｔｎｏｗのおよび現在温度ＴＰｎｏｗが温度範囲Ｃ外、すなわち温度が異常値であることを示す範囲情報に装置ＩＤを付加して管理サーバ３０に送信し（ステップＳ３０８）、ステップＳ３１３に移行する。
【００３４】
一方、現在温度ＴＰｎｏｗが温度範囲Ｃ内から温度範囲Ｃ外に変化しなかった場合（ステップＳ３０５；Ｎｏ）、温度変化判断部２９ａは、現在温度ＴＰｎｏｗが温度範囲Ｃ外から温度範囲Ｃ内に変化したか否かを判断する（ステップＳ３０９）。現在温度ＴＰｎｏｗが温度範囲Ｃ外から温度範囲Ｃ内に変化した場合（ステップＳ３０９；Ｙｅｓ）、送信制御部２９ｂは、前回時刻Ｔｐｒｅの情報を管理サーバ３０に未送信であるか否かを判断する（ステップＳ３１０）。前回時刻Ｔｐｒｅの情報を管理サーバ３０に未送信である場合（ステップＳ３１０；Ｙｅｓ）、送信制御部２９ｂは、現在時刻Ｔｎｏｗ、現在温度ＴＰｎｏｗが温度範囲Ｃ内すなわち温度が正常値であることを示す範囲情報、および前回時刻Ｔｐｒｅの情報に装置ＩＤを付加して管理サーバ３０に送信し（ステップＳ３１１）、処理をステップＳ３１３に移行する。これにより、自動分析装置２８によって不定期で取得される自動分析装置２８内の温度が温度範囲Ｃ外から温度範囲Ｃ内に変化した取得時刻と、範囲情報と、さらに、温度範囲Ｃ外から温度範囲Ｃ内に変化する直前まで温度範囲Ｃ外であった温度の取得時刻の情報とを管理サーバ３０から取得することができる。一方、前回時刻Ｔｐｒｅの情報を管理サーバ３０に送信してある場合（ステップＳ３１０；Ｎｏ）、送信制御部２９ｂは、現在時刻Ｔｎｏｗ、および現在温度ＴＰｎｏｗが温度範囲Ｃ内すなわち温度が正常値であることを示す範囲情報に装置ＩＤを付加して管理サーバ３０に送信し（ステップＳ３１２）、処理をステップＳ３１３に移行する。
【００３５】
次に、制御部２９は、現在温度ＴＰｎｏｗを前回温度ＴＰｐｒｅとして設定し、現在時刻Ｔｎｏｗを前回時刻Ｔｐｒｅとして設定し（ステップＳ３１３）、自動分析装置２８内の温度情報の取得が完了したか否かを判断する（ステップＳ３１４）。この自動分析装置２８内の温度情報の取得が完了していない場合（ステップＳ３１４；Ｎｏ）、制御部２９は、ステップＳ３０４に移行して上述した処理を繰り返す。一方、この自動分析装置２８内の温度情報の取得が完了した場合（ステップＳ３１４；Ｙｅｓ）、制御部２９は、本処理を終了する。
【００３６】
一方、管理サーバ３０は、自動分析装置２８に組み込まれた送信装置６０によって送信される送信情報の受信待ち状態であり（ステップＳ４０１）、ステップＳ３０３、ステップＳ３０７、ステップＳ３０８、ステップＳ３１１、およびステップＳ３１２で送信装置６０によって送信された送信情報を受信すると（ステップＳ４０１；Ｙｅｓ）、この送信情報を各自動分析装置２８の管理情報として保存した後（ステップＳ４０２）、ステップＳ４０１に移行して送信装置６０によって送信される送信情報の受信待ち状態となる。
【００３７】
この実施の形態２では、温度変化判断部２９ａが、自動分析装置２８によって不定期に取得された自動分析装置２８内の温度が正常値である温度範囲Ｃ内から温度範囲Ｃ外あるいは温度範囲Ｃ外から温度範囲Ｃ内に変化したか否かを判断し、温度変化判断部２９ａによって温度が変化したと判断した場合に、送信制御部２９ｂが、この変化した温度の取得時刻と、この温度が温度範囲Ｃ内あるいは温度範囲Ｃ外であることを示す範囲情報と、この変化した温度が変化する直前の温度の取得時刻とを管理サーバ３０に送信している。これにより、自動分析装置２８によって不定期に取得される自動分析装置２８内の温度が正常値である温度範囲Ｃ内であるか温度範囲Ｃ外であるかの経過時間を示す時間バーと同じ時間バーを得るための情報を少ない情報量で管理サーバ３０に送信することができる。従って、自動分析装置２８から管理サーバ３０に送信する温度情報の送信情報量を削減しつつ、管理サーバ３０が少なくとも自動分析装置２８側の自動分析装置２８内の温度が正常値である温度範囲Ｃ内であるか温度範囲Ｃ外であるかの経過時間を示す時間バーと同じ時間バーを得て厳密な管理を行うことができる。
【００３８】
なお、実施の形態１および２では、自動分析装置２０，２８が自動分析装置２０，２８内の温度情報を不定期に取得するものを例示したが、これに限らず、自動分析装置２０，２８が自動分析装置２０，２８内の温度情報を逐次取得すればよい。例えば、自動分析装置２０，２８は、短期的な期間Ｓでみれば周期的であるが、長期的な期間Ｌでみれば不定期に自動分析装置２０，２８内の温度ＴＰを取得してもよい（図７）。あるいは、自動分析装置２０，２８は、各自動分析装置２０，２８によって異なる周期で温度ＴＰを取得してもよい（図７，図８）。
【００３９】
また、実施の形態１および２では、自動分析装置２０，２８が、自動分析装置２０，２８内の温度情報を取得するものを例示したが、これに限らず、自動分析装置２０，２８内の情報を取得すればよい。例えば、自動分析装置２０，２８が、自動分析装置２０，２８内の圧力情報（値と時刻）を取得するようにしてもよい。
【００４０】
また、実施の形態１および２では、送信装置５０，６０が自動分析装置２０，２８に組み込まれるものを例示したが、これに限らず、自動分析装置２０，２８が不定期に取得した温度情報のうち管理のための情報を管理サーバ３０に送信できればよい。例えば、送信装置が自動分析装置２０，２８と別体で自動分析装置２０，２８に接続し、この送信装置が自動分析装置２０，２８によって不定期に取得された温度情報のうち管理のための情報を管理サーバ３０に送信してもよい。この場合、自動分析装置２０，２８の装置ＩＤのみでなく、送信装置の識別情報としての装置ＩＤも送信情報に付加してもよいし、自動分析装置２０，２８の装置ＩＤを付加せず送信装置の装置ＩＤのみを送信情報に付加してもよい。
【００４１】
また、実施の形態２では、温度変化判断部２９ａが、自動分析装置２８内の温度が正常値である温度範囲Ｃ内から温度範囲Ｃ外あるいは正常値である温度範囲Ｃ外から温度範囲Ｃ内に変化したか否かを判断するものを例示したが、これに限らず、温度変化判断部２９ａが、自動分析装置２８内の温度が所定範囲内から範囲外あるいは所定範囲外から範囲内に変化したか否かを判断できればよい。例えば、温度変化判断部２９ａが、自動分析装置２８の動作モードとして予め設定された高温モードの温度範囲内から範囲外あるいは高温モードの温度範囲外から範囲内に自動分析装置２８内の温度が変化したか否かを判断してもよい。
【００４２】
また、実施の形態２では、温度変化判断部２９ａによって温度が変化したと判断した場合、送信制御部２９ｂが、変化した温度が温度範囲Ｃ内であることを示す範囲情報または温度範囲Ｃ外であることを示す範囲情報を管理サーバ３０に送信するものを例示したが、これに限らず、自動分析装置２８によって不定期に取得された自動分析装置２８内の温度が温度範囲Ｃ内であるか温度範囲Ｃ外であるかの経過時間を示す時間バーを管理サーバ３０側で得ることができればよい。例えば、自動分析装置２８によって不定期に取得された自動分析装置２８内の温度が温度範囲Ｃ外から温度範囲Ｃ内に変化した次に温度変化判断部２９ａによって温度が変化したと判断されるのは自動分析装置２８内の温度が温度範囲Ｃ外に変化したときとなるため、温度範囲Ｃ内であることを示す範囲情報または温度範囲Ｃ外であることを示す範囲情報の一方の情報を管理サーバ３０に送信するだけでもよい。
【図面の簡単な説明】
【００４３】
【図１】この発明の実施の形態１にかかる送信装置を組み込んだ自動分析装置の管理システムの構成を示す模式図である。
【図２】図１に示した自動分析装置から送信された情報をもとに管理サーバ側が情報の時間プロファイルを再現する処理を説明する図である。
【図３】図１に示した自動分析装置が組み込んだ送信装置による送信処理手順を示すフローチャートである。
【図４】この発明の実施の形態２にかかる送信装置を組み込んだ自動分析装置の管理システムの構成を示す模式図である。
【図５】図４に示した自動分析装置から送信された情報をもとに管理サーバ側が自動分析装置内の温度が正常値である温度範囲内であるか温度範囲外であるかの経過時間を示す時間バーを再現する処理を説明する図である。
【図６】図４に示した自動分析装置が組み込んだ送信装置による送信処理手順を示すフローチャートである。
【図７】自動分析装置が自動分析装置内の温度情報を逐次取得することについて説明する図である。
【図８】自動分析装置が自動分析装置内の温度情報を逐次取得することについて説明する図である。
【符号の説明】
【００４４】
１，２  管理システム
２０，２０Ａ，２０Ｂ，２８，２８Ａ，２８Ｂ  自動分析装置
２１  測定機構
２２，２９，３２，４２  制御部
２２ａ，２９ａ  温度変化判断部
２２ｂ，２９ｂ  送信制御部
２３，３４，４４  入力部
２４  分析部
２５，３１，４１  記憶部
２６，３５，４５  出力部
２７  送信部
３０  管理サーバ
３３，４３  送受信部
４０，４０Ａ，４０Ｂ  管理端末装置
５０，６０  送信装置
Ｎ  ネットワーク
Ｃ  範囲
Ｄ  情報
ＴＰ，ＴＰ1〜ＴＰ10  温度
Ｔ，Ｔ1〜Ｔ10  時刻
Ｓ，Ｌ  期間
ｃ１，ｃ２，ｃ３  周期
【図１】
2010003129.tif 000003
【図２】
2010003129.tif 000004
【図３】
2010003129.tif 000005
【図４】
2010003129.tif 000006
【図５】
2010003129.tif 000007
【図６】
2010003129.tif 000008
【図７】
2010003129.tif 000009
【図８】
2010003129.tif 000010